(57)【要約】      （修正有）【課題】万人において身体のつぼを確実に刺激できるマッサージ効果の高い電動マッサージ機の提供。【解決手段】把持部１１を有するケーシング１と、ケーシングの一端から把持部の長手方向と直交する方向へ突出するマッサージ部２からなり、ケーシングが、マッサージ部に振動を伝達する振動機構と、振動機構の振動のＯＮ・ＯＦＦを切替える電源スイッチとを備え、マッサージ部が、振動機構によりマッサージ部の突出方向へと振動可能に配設される振動部材と、振動部材の周囲を被覆すると共にマッサージ部の突出方向に伸縮可能な筒状の被覆部材とを有し、振動部材の先端面には、マトリクス状に複数配置される四角錐形状の突起部が備えられ、被覆部材は、通常時において伸長して振動部材の周囲を完全に被覆すると共に使用時において収縮して振動部材の先端部分を露出させる電動マッサージ機である。【選択図】図１
0003122555.tif 000002
【実用新案登録請求の範囲】
【請求項１】
身体のつぼを刺激してマッサージ治療を行う電動マッサージ機であって、
把持部を有するケーシングと、
該ケーシングの一端から該把持部の長手方向と直交する方向へ突出するマッサージ部とからなり、
前記ケーシングが、前記マッサージ部に振動を伝達する振動機構と、
該振動機構の振動のＯＮ・ＯＦＦを切替える電源スイッチとを備え、
前記マッサージ部が、前記振動機構により前記マッサージ部の突出方向へと振動可能に配設される振動部材と、
該振動部材の周囲を被覆すると共に前記マッサージ部の突出方向に伸縮可能な筒状の被覆部材とを有し、
前記振動部材の先端面には、マトリクス状に複数配置される四角錐形状の突起部が備えられ、
前記被覆部材は、通常時において伸長して前記振動部材の周囲を完全に被覆すると共に使用時において収縮して前記振動部材の先端部分を露出させることを特徴とする電動マッサージ機。
【請求項２】
前記振動機構の振動の強弱を調整可能とすると共に連続運転又は断続運転に切替可能とする制御コントローラが前記ケーシングと別体に設けられることを特徴とする請求項１記載の電動マッサージ機。
【請求項３】
前記ケーシングの把持部に凹部が形成され、
前記電源スイッチは、前記凹部に配設されると共にその高さが当該凹部の深さ以下であることを特徴とする請求項１又は２記載の電動マッサージ機。
【考案の詳細な説明】
【技術分野】
【０００１】
本考案は、電動マッサージ機に関し、より詳しくは、万人において身体のつぼを確実に刺激できるマッサージ効果の高い電動マッサージ機に関するものである。
【背景技術】
【０００２】
マッサージ治療の中には、身体のつぼを刺激することにより健康回復を図るものとして、指圧治療や針治療が存在する。
指圧治療は、その名の如く、被治療者の身体のつぼを身体表面より指で押圧することにより、つぼを刺激するものであり、また、針治療は、細く長い針を被治療者の身体のつぼに直接打ち込むことで、つぼを刺激するものである。
【０００３】
しかしながら、指圧治療は、各々の被治療者に応じて指圧の位置や力加減を調整できる所謂マッサージ師でしか行うことができず、また、針治療は、米粒ほどしかない身体のつぼに対して正確に針を打ち込める針師（熟練者）でしか行うことができない。
また、いずれの治療法も、この治療を行える特定の場所に定期的に通う必要があり、時間の浪費や費用がかかるという問題があり、万人にとって有用であるとは言い難い。
【０００４】
このような問題もあることから、近年においては、自宅でも手軽につぼマッサージを行えるマッサージ機が数多く提案されている。
このようなマッサージ機として、例えば、特許文献１には、内部に電池室と電源スイッチを備えたグリップ部と、グリップ部の上端部から上方に湾曲して突出したスチールパイプであり且つ内部に電源コードを貫通させたアーム部と、アーム部の先端に取り付けられた電動バイブレータ部と、電動バイブレータ部より突出して身体のつぼを押圧する球状のポイントプッシュ部とから構成される電動マッサージ機が開示されている。
【０００５】
しかしながら、このようなマッサージ機では、つぼを押圧する部位（ポイントプッシュ部）が球状であるため、点でしか押圧することができず、つぼの位置を正確に熟知していない被治療者では正確につぼを刺激することが困難なものとなる。
また、ポイントプッシュ部がマッサージ機において剥き出しとなっているため、何かの拍子に、壁等にマッサージ機を衝突させてしまいポイントプッシュ部が部分的に欠けてしまうと、熟練者であれども、つぼを正確に刺激することは難しいと言える。
【０００６】
更に、アーム部が湾曲して形成されているため、マッサージ機自体の重心がグリップ部から大きく外れてしまい、把持しづらく、つぼを正確に刺激することが困難になる。
また、幼児が悪戯を働いた際、誤って電源を入れてしまい、振動するポイントプッシュ部が目に当たる等、危険が生じる可能性がある。
【０００７】
【特許文献１】実開平６−２６８６１号公報
【考案の開示】
【考案が解決しようとする課題】
【０００８】
本考案は上記実情を鑑みてなされたものであり、万人において身体のつぼを確実に刺激できるマッサージ効果の高い電動マッサージ機を提供することを目的とする。
また、主要部の破損が防止できると共に幼児に対する危険性が低いコンパクトな電動マッサージ機を提供することも目的とする。
【課題を解決するための手段】
【０００９】
請求項１に係る考案は、身体のつぼを刺激してマッサージ治療を行う電動マッサージ機であって、把持部を有するケーシングと、該ケーシングの一端から該把持部の長手方向と直交する方向へ突出するマッサージ部とからなり、前記ケーシングが、前記マッサージ部に振動を伝達する振動機構と、該振動機構の振動のＯＮ・ＯＦＦを切替える電源スイッチとを備え、前記マッサージ部が、前記振動機構により前記マッサージ部の突出方向へと振動可能に配設される振動部材と、該振動部材の周囲を被覆すると共に前記マッサージ部の突出方向に伸縮可能な筒状の被覆部材とを有し、前記振動部材の先端面には、マトリクス状に複数配置される四角錐形状の突起部が備えられ、前記被覆部材は、通常時において伸長して前記振動部材の周囲を完全に被覆すると共に使用時において収縮して前記振動部材の先端部分を露出させることを特徴とする電動マッサージ機に関する。
【００１０】
請求項２に係る考案は、前記振動機構の振動の強弱を調整可能とすると共に連続運転又は断続運転に切替可能とする制御コントローラが前記ケーシングと別体に設けられることを特徴とする請求項１記載の電動マッサージ機に関する。
【００１１】
請求項３に係る考案は、前記ケーシングの把持部に凹部が形成され、前記電源スイッチは、前記凹部に配設されると共にその高さが当該凹部の深さ以下であることを特徴とする請求項１又は２記載の電動マッサージ機に関する。
【考案の効果】
【００１２】
請求項１に係る考案によれば、振動部材の先端面には、マトリクス状に複数配置される四角錐形状の突起部が備えられることにより、振動部材をつぼ近傍に位置させるだけで、いずれかの突起部がつぼ上に位置するため、つぼを外すことがない。従って、万人において正確につぼを刺激し、マッサージを行うことが可能となる。
また、被覆部材は、通常時において伸長して振動部材の周囲を完全に被覆すると共に使用時において収縮して振動部材の先端部分を露出させることにより、振動部材の不意なる破損を未然に防止することが可能となる。また、幼児が悪戯を働いたとしても、振動部材は通常露出していないため、危険性を低減させることができる。
【００１３】
請求項２に係る考案によれば、振動機構の振動の強弱を調整可能とすると共に連続運転又は断続運転に切替可能とする制御コントローラがケーシングと別体に設けられることにより、ケーシング内の構成を簡単にすることができ、被治療者が把持する部位をコンパクトにすることが可能となる。これにより、つぼを刺激することがより簡単なものとなる。
【００１４】
請求項３に係る考案によれば、ケーシングの把持部に凹部が形成され、電源スイッチは、凹部に配設されると共にその高さが凹部の深さ以下であることにより、マッサージ機を使用しない時、不用意に電源スイッチがＯＮになってしまうことを防止することができる。
【考案を実施するための最良の形態】
【００１５】
以下、本考案に係る電動マッサージ機の好適な実施形態について、図面を参照しつつ説明する。
図１は、本考案に係る電動マッサージ機を示す正面図であり、図２は、その左側面図であり、図３は、その右側面図である。
以下、図１乃至図３を参照しつつ説明する。
【００１６】
電動マッサージ機（Ｍ）は、被治療者の身体のつぼを刺激してマッサージ治療を行うものであり、把持部（１１）を有するケーシング（１）と、ケーシング（１）の一端から把持部（１１）の長手方向と直交する方向へ突出する（図１においては、ケーシング（１）上部から右方向へ突出する）マッサージ部（２）とから構成されている。
【００１７】
ケーシング（１）は、略直方体状の上体部の下端から略円柱状の把持部（１１）が突出するようにして形成されており、また、図１において、ケーシング（１）の右側部は、前記上体部下部から把持部（１１）にかけて湾曲するようにして形成されている。
把持部（１１）の長さとしては、片手にしっかりと把持できる長さ、即ち、一般成人の手の甲の幅よりやや長め（例えば、１００ｍｍ前後）に形成することが好ましく、また、把持部（１１）の断面長としても、一般成人が片手にしっかりと把持できる断面長（例えば、３０〜４０ｍｍ）に形成することが好ましい。
【００１８】
以上のようにして、ケーシング（１）が形成されていることにより、一般成人にとっては、手にフィットし易く（つまり、把持し易く）、また、年端の行かない幼児にとっては、逆に把持しづらいものとなる。従って、幼児が悪戯を働くことを抑制することができ、悪戯による怪我の危険性を低減させることが可能となる。
【００１９】
次に、ケーシング（１）において、前記上体部の内部には、振動機構（図示せず）が備えられており、また、把持部（１１）上部左端（図１参照）には、上記振動機構の振動のＯＮ・ＯＦＦを切替える電源スイッチ（１２）が切替可能に配設されている。
振動機構としては、例えば、公知のモータを使用し、該モータの先端（駆動軸）に偏心ブロックを配設するようにして構成すれば良い。
これにより、偏心ブロックの回転振動を、振動部材（後述する）に間接的に与えることが可能となり、該振動部材に微小振動を発生させることが可能となる。
【００２０】
電源スイッチ（１２）は、図１及び図２に示される如く、ケーシング（１）の把持部（１１）の上部左端（図１参照）に形成される凹部（１３）に収まるようにして配設されており、その高さは、凹部（１３）の深さよりも小さく形成されている。
これにより、電動マッサージ機（Ｍ）を使用しない時、例えば、電動マッサージ機（Ｍ）をテーブル等の平らな面に置く際、電源スイッチが不用意にＯＮになってしまうことを防止することができる。
【００２１】
図４（ａ）は、本考案に係る電動マッサージ機に備えられる振動部材を示す正面図であり、図４（ｂ）は、その側面図である。
また、図５は、図３におけるマッサージ部の拡大図である。
【００２２】
マッサージ部（２）は、前記振動機構によりマッサージ部（２）の軸方向（図１においては左右方向）へと振動可能に配設される振動部材（２１）と、振動部材（２１）の周囲を被覆すると共にマッサージ部（２）の軸方向（図１においては左右方向）に伸縮可能な筒状の被覆部材（２２）とを有している。
【００２３】
振動部材（２１）は、図４に示される如く、略円柱形状に形成されており、先端面（図４（ｂ）における左端）には、マトリクス状に複数（図示例では九個）整列して配置される四角錐形状の突起部（２１１）が備えられ、また、後端部（図４（ｂ）における右端部）には、雄ネジ部（２１２）が形成されている。
尚、この突起部（２１１）の三角形面の頂角は夫々３０〜５０°に設定することが好ましく、４５°に設定することがより好ましい。
尚、振動部材（２１）は、図５に示される如く、被覆部材（２２）に収容されると共にマッサージ部（２）の内部に形成される雌ネジ部（図示せず）に雄ネジ部（２１２）を螺合させることにより固定される。
【００２４】
被覆部材（２２）は、筒状に形成されており、その一端部がバネ等の弾性部材（図示せず）を介してマッサージ部に収容されている。
被覆部材（２２）は、通常時においては、弾性部材の付勢力により伸長状態となって振動部材（２１）の周囲を完全に被覆するように突出し、また、使用時においては、弾性部材の付勢力に抗して被覆部材（２２）を被治療者の患部（つぼ近傍）に押さえつけることにより、弾性部材が収縮して被覆部材（２２）がマッサージ部（２）内部に没することにより振動部材（２１）の先端部分（突起部（２１１））を露出させるように構成されている。（図６参照）
これにより、振動部材の不意なる破損（例えば、壁に衝突させてしまう等）を未然に防止することが可能となる。また、幼児が悪戯を働いたとしても、振動部材は通常露出していないため、危険性を低減させることができる。
【００２５】
以上の構成を踏まえ、電動マッサージ機（Ｍ）の駆動について説明する。
図７は、本考案に係る電動マッサージ機を使用している状態を示す図である。
先ず、電源スイッチ（１２）をＯＮにすることにより、前記駆動機構を介して振動部材（２１）が微小振動を開始する。
次いで、マッサージ部（２）の被覆部材（２２）を被治療者の身体のつぼ近傍に押さえつけることにより振動部材（２１）の先端部（突起部（２１１））が露出して被治療者の皮膚に当接し、前記微小振動により、つぼ近傍を刺激しマッサージ治療を行う。
このとき、マトリクス状に配列した突起部（２１１）のいずれかが、つぼ上に位置するため、つぼを外すことがない。従って、万人において正確につぼを刺激し、マッサージを行うことが可能となる。
【００２６】
尚、振動部材（２１）の直径としては、例えば、８〜１０ｍｍ程度に設定すれば良く、またこの時、雄ネジ部（２１２）の直径は１０〜１２ｍｍ程度に設定すれば良い。
これにより、振動部材（２１）の突起部（２１１）を被治療者のつぼ近傍に押さえつける際、押圧力を逃すことなく集中して与えることができ、マッサージがより有効なものとなる。
【００２７】
図８は、本考案に係る電動マッサージ機における制御コントローラを示す図である。
【００２８】
制御コントローラ（３）は、主電源スイッチ（３１）と、前記振動機構の振動の強弱を調整可能とする振動調整部（３２）と、振動調整部（３２）による振動の強弱を表示する表示部（３３）と、電動マッサージ機、より詳しくは、前記振動機構の連続運転又は断続運転を切替可能とする運転切替部（３４）と、連続運転時に点灯する第一ランプ部（３４１）と、断続運転時に点灯する第二ランプ部（３４２）と、前記振動機構の運転時間を設定するタイマー（３５）と、電源コード（図示せず）を接続するための電源コネクタ（３６）と、ケーシング（１）から延出する接続コード（図示せず）を接続するための接続コネクタ（３７）とを備えている。
【００２９】
制御コントローラは、上記の如く構成されているため、前記振動機構の強弱調整、連続運転及び断続運転により、各々の被治療者に合わせた運転調整が可能となる。これにより、電動マッサージ機によるマッサージ効果をより高めることが可能となる。
また、制御コントローラ（３）がケーシング（１）と別体に設けられていることにより、ケーシング（１）内の構成を簡単にすることができ、被治療者が把持する部位をコンパクトにすることが可能となる。これにより、つぼを刺激することがより簡単なものとなる。
尚、電動マッサージ機（Ｍ）は、制御コントローラ（３）による運転調整を必要としない場合、ケーシング（１）に電源コードを直接接続する、或いは、ケーシング（１）内部に電池を取り付けて、制御コントローラ（３）なしで使用することも当然可能である。
【産業上の利用可能性】
【００３０】
本考案は、つぼのマッサージを行うマッサージ機として好適に利用可能である。
【図面の簡単な説明】
【００３１】
【図１】本考案に係る電動マッサージ機を示す正面図である。
【図２】本考案に係る電動マッサージ機を示す左側面図である。
【図３】本考案に係る電動マッサージ機を示す右側面図である。
【図４】（ａ）は、本考案に係る電動マッサージ機に備えられる振動部材を示す正面図であり、（ｂ）は、その側面図である。
【図５】図３におけるマッサージ部の拡大図である。
【図６】本考案に係る電動マッサージ機において被覆部材が収縮状態にある状態を示す図である。
【図７】本考案に係る電動マッサージ機を使用している状態を示す図である。
【図８】本考案に係る電動マッサージ機における制御コントローラを示す図である。
【符号の説明】
【００３２】
Ｍ      マッサージ機
１      ケーシング
１１    把持部
１２    電源スイッチ
１３    凹部
２      マッサージ部
２１    振動部材
２１１  突起部
２２    被覆部材
３      制御コントローラ
【図１】
0003122555.tif 000003
【図２】
0003122555.tif 000004
【図３】
0003122555.tif 000005
【図４】
0003122555.tif 000006
【図５】
0003122555.tif 000007
【図６】
0003122555.tif 000008
【図７】
0003122555.tif 000009
【図８】
0003122555.tif 000010